(57)【要約】      （修正有）【課題】光ディスク駆動装置において、ターンテーブルのバランス部材でバランスを保つ際、その移動による振動等が環状板やロータホルダに伝わることによる騒音を抑制する。【解決手段】チャッキング装置１３０のターンテーブル１３１は樹脂材料を略円筒形状に成形され、ロータホルダ１００の蓋部１０２の上面に配置される。前記チャッキング装置の前記ターンテーブルは中央にコーン部材１３２の一部を収容する収容凹部１３１ｂが形成される。前記収容凹部は、前記コーン部材のディスク当接部１３２ｂ２を収容する第一収容部１３１ｂ１を有する。また、前記第一収容部の径方向外側には、周方向に円環形状である空洞部１３１ａを備える。前記空洞部の開口側である軸方向下側には、前記空洞部を密閉するプレート１３６が固定されている。前記プレートの下面と前記蓋部の上面の間、および前記プレートの下面と傾斜部の間には接着剤１４０が介在している。【選択図】図２
2014093109.tif 000002
【特許請求の範囲】
【請求項１】
回転軸となるシャフトと、
前記シャフトと一体に回転するロータマグネットと、
前記ロータマグネットを保持する円筒部、及び前記円筒部から前記シャフトに向かい延びる平坦部である蓋部を有し、前記シャフトに固定されるロータホルダと、
前記ロータホルダの前記蓋部の上面に配置され、中心開口部を有する円盤形状の光学ディスクを着脱可能なチャッキング装置と、
を備えるブラシレスモータであって、
前記チャッキング装置は、
前記シャフトに対して軸方向に移動可能な内周面を有する円筒形状のスライド部と、
前記スライド部より径方向外側に形成され、軸方向下側に向かい拡径する円環形状の面を有し、前記中心開口部の内周面に接触するディスク当接部と、
を有するコーン部材と、
前記光学ディスクの下面と接触するディスク載置面と、該ディスク載置面より軸方向下側に設けられ、軸方向下側に開口する内周壁および外周壁を有する環状の凹形状である空洞部と、前記空洞部に収容され周方向に移動可能な複数のバランス部材と、を有するターンテーブルと、
前記空洞部の開口を覆い、軸方向上側に向かって延びるフック部を径方向内側に有する環状板と、を備え、
前記ターンテーブルは、前記内周壁の径方向内側に、軸方向下方に開口した環状の凹部であるフック収容溝をさらに備え、
前記フック収容溝は前記フック部を収容し、
前記環状板と前記蓋部との間には接着剤が介在することを特徴とする。
【請求項２】
請求項１のブラシレスモータはさらに、
前記ターンテーブルと前記蓋部との間に接着剤が介在することを特徴とする。
【請求項３】
請求項１または請求項２のブラシレスモータはさらに、
前記ターンテーブルと前記フック収容溝の内側の面と前記環状板の前記フック部との間に接着剤が介在することを特徴とする。
【請求項４】
請求項１から請求項３のいずれかに記載のブラシレスモータであって、
前記蓋部の外縁と前記円筒部の上端との間には傾斜部を有し
前記傾斜部と前記環状板との間には接着剤が介在することを特徴とする。
【請求項５】
請求項４に記載のブラシレスモータであって、
前記傾斜部と軸方向に対向する前記環状板との間に介在する前記接着剤は周方向にわたる表面を有し、前記表面は弧状であることを特徴とする。
【請求項６】
回転軸となるシャフトと、
前記シャフトと一体に回転するロータマグネットと、
前記ロータマグネットを保持する円筒部と、
前記ロータマグネットを保持する円筒部、及び前記円筒部から前記シャフトに向かい延びる平坦部である蓋部を有し、前記シャフトに固定されるロータホルダと、
前記ロータホルダの前記蓋部の上面に配置され、中心開口部を有する円盤形状の光学ディスクを着脱可能なチャッキング装置と、
を備え、
前記チャッキング装置は、
前記シャフトに対して軸方向に移動可能な内周面を有する円筒形状のスライド部と、
前記スライド部より径方向外側に形成され、軸方向下側に向かい拡径する円環形状の面を有し、前記中心開口部の内周面に接触するディスク当接部と、を有するコーン部材と、
前記光学ディスクの下面と接触するディスク載置面と、該ディスク載置面より軸方向下側に設けられ、軸方向下側に開口する内周壁および外周壁を有する環状の凹形状である空洞部と、前記空洞部に収容され周方向に移動可能な複数のバランス部材と、を有するターンテーブルと、
前記開口部を覆う環状板と、
を有するブラシレスモータであって、
前記蓋部は前記外周壁よりも外側にまで拡がり、
前記環状板と前記蓋部との間に接着剤が介在することを特徴とする。
【請求項７】
請求項６のブラシレスモータはさらに、
前記ターンテーブルと前記蓋部との間に接着剤が介在することを特徴とする。
【請求項８】
請求項６または請求項７のブラシレスモータはさらに、
前記蓋部表面と前記外周壁の下端との間に接着剤が介在することを特徴とする。
【請求項９】
請求項１に記載のブラシレスモータであって、
前記蓋部表面と前記外周壁の下端との間には、接着剤が介在することを特徴とする。
【請求項１０】
請求項６から請求項９のいずれかに記載のブラシレスモータであって、
前記蓋部表面と前記外周壁の下端との間に介在する前記接着剤は周方向に拡がる表面を有し、前記表面は弧状であることを特徴とする。
【請求項１１】
請求項１から１０のいずれかに記載のブラシレスモータであって、
前記環状板の下面は、前記ターンテーブルの下面より軸方向下側に配置されることを特徴とする。
【請求項１２】
請求項１から１１のいずれかに記載のブラシレスモータであって、
前記接着剤の塗布位置は、前記バランス部材の転走面の中心よりも径方向内側かつ前記フック部より径方向外側であることを特徴とする。
【発明の詳細な説明】
【技術分野】
【０００１】
本発明は、光学ディスクを着脱自在に行うチャッキング装置を備えたブラシレスモータ、およびこのブラシレスモータを備えたディスク駆動装置に関する。
【背景技術】
【０００２】
コンピュータの処理能力拡大に伴い、そのコンピュータの外部記憶装置として用いられるDVD等の光ディスクの駆動装置には、高速にデータを読み／書き出する能力が求められている。そのために、ディスクの回転速度は高速化の一途を辿っているが、このため、回転時のディスクの振動が大きくなり、データの読み／書きが困難になりつつある。
解決の手段として、例えば特許文献１にはバランス補正機構を持ったブラシレスモータが開示されている。また、特許文献２には、調芯部材を備えたブラシレスモータが開示されている。
【先行技術文献】
【特許文献】
【０００３】
【特許文献１】韓国10-2008-0035887号特許
【特許文献２】特開2008-005584号公報
【発明の概要】
【発明が解決しようとする課題】
【０００４】
しかしながら、従来の構造には以下の問題点があった。
【０００５】
特許文献１に開示の構造では、バランス部材を収容する溝部を覆う環状板はターンテーブルとロータホルダの蓋部によって挟まれて固定されている。このため、モータを駆動し、バランス部材でバランスを保つ際にはバランス部材の移動による振動等が環状板やロータホルダに伝わり、騒音が生じる虞があった。
特許文献２の方法は、特許文献１の方法に更に調芯部材を組み合わせ、両方の効果によってアンバランス振動を抑制しようとするものである。しかし、高速化が進むと、これらの方法を同時に用いても、十分確実に振動を抑制できるとは言えなくなりつつある。
【０００６】
本発明は上記問題に鑑みなされたものであり、その目的とするところはＤＶＤ等の光ディスクの駆動装置において、より確実に振動を抑制することである。
【課題を解決するための手段】
【０００７】
本願発明の請求項１における発明は、中心開口部を有する円盤形状の光学ディスクを着脱可能なチャッキング装置を有するブラシレスモータであって、ブラシレスモータは、回転軸となるシャフトと、シャフトと一体に回転するロータマグネットと、ロータマグネットを保持する円筒部及び円筒部からシャフトに向かい延びる平坦部である蓋部を有し、シャフトに固定されるロータホルダと、を備え、チャッキング装置は、ロータホルダの蓋部の上面に配置され、チャッキング装置は、シャフトに対して軸方向に移動可能な内周面を有する円筒形状のスライド部と、スライド部より径方向外側に形成され、軸方向下側に向かい拡径する円環形状の面を有し、中心開口部の内周面に接触するディスク当接部と、を有するコーン部材と、光学ディスクの下面と接触するディスク載置面と、ディスク載置面より軸方向下側に設けられ、軸方向下側に開口する内周壁および外周壁を有する環状の凹形状である空洞部と、空洞部に収容され周方向に移動可能な複数のバランス部材と、を有するターンテーブルと、空洞部の開口には、径方向内側に軸方向上側に向かって延びるフック部を有し、開口部を覆う環状板と、ターンテーブルと蓋部との間、および環状板と蓋部との間に介在する接着剤と、を有し、内周壁の径方向内側には、軸方向下方に開口した環状の凹部であるフック収容溝があり、フック収容溝の内側の面と環状板のフック部との間には接着剤が介在することを特徴とする。
【発明の効果】
【０００８】
上記構成によれば、前記フック収容溝の内側の面と環状板のフック部との間に介在する接着剤によって環状板やターンテーブルがロータホルダに固定されるので、小型化や薄型化によってターンテーブルとシャフトとの締結長が短くなった場合でも、ターンテーブルを回転体に確実に締結することができる。
【図面の簡単な説明】
【０００９】
【図１】図１は、本発明に係るブラシレスモータの実施例の一形態を示した軸方向に切った模式断面図である。
【図２】図２は、図１のチャッキング装置および回転部の上部を拡大した図である。
【図３】図３は、図２のロータホルダの傾斜面付近を拡大した図である。
【図４】図４は、図１のターンテーブル部材の下面より見た平面図である。
【図５】図５は、本発明に係る他の実施形態のチャッキング装置および回転部の上部を拡大した図である。
【図６】図６は、図５のロータホルダの傾斜面付近を拡大した図である。
【発明を実施するための形態】
【００１０】
＜ブラシレスモータの全体構造＞
本発明に係るブラシレスモータの全体構造について図１を参照して説明する。図１は、ブラシレスモータを軸方向に切った模式断面図である。
図１を参照して、まず固定部について説明する。
ハウジング１０は、鋼板にプレス加工等の塑性加工を施して成型される。そしてハウジング１０は、軸方向に沿って延びる中心軸Ｊ１と同軸の軸心を有する円筒部１１と、円筒部１１の下端部に形成され、円筒部１１を閉塞する底面部１２とを有する。またハウジング１０の軸方向上側は、開口している。このハウジング１０の円筒部１１および底面部１２との連結部は、径方向に縮小する段部１３を備える。段部１３の上面には、樹脂材料製で円環形状のワッシャ２０が配置される。このワッシャ２０の上面およびハウジング１０の円筒部１１の内周面に接した状態で、略円筒形状のスリーブ３０が固定される。このスリーブ３０は、潤滑油を含浸させた焼結体である。スリーブ３０の上面には、スリーブ３０からの油漏れを防止する油きりワッシャ４０が配置される。そしてハウジング１０の底面部１２の上面には、耐摩耗性および摺動性に優れた樹脂材料を素材とするスラストプレート５０が配置される。またハウジング１０の円筒部１１の上端面は、径方向外側に延びる径方向延長部１４を備える。
【００１１】
ハウジング１０の円筒部１１の外周面には、ステータ６０が固定される。このステータ６０は、薄板であり、円環形状のコアバック部６１ａとコアバック部６１ａの側面から周方向に複数離間して径方向外側にそれぞれ延びるティース部６１ｂとを有する電磁鋼板を軸方向に複数積層したステータコア６１を有している。また、ステータコア６１の表面に塗装され、電気的絶縁を図る絶縁コーティング（不図示）と、ステータコア６１のティース部６１ｂの周囲に導電線を複数積層するように巻回して形成されたコイル６２と、から構成される。
【００１２】
また、ステータ６０より軸方向下側のハウジング１０の外周面には、鋼板にプレス加工等の塑性加工を施して成型された取付板７０が固定される。取付板７０は略円筒形状の取付部７１を備える。取付部７１はハウジング１０の円筒部１１の外周面に接しており、ハウジング１０は取付部７１を介して取付板７０に固定される。この取付板７０の上面には、回路基板８０と取付板７０との電気的絶縁を図る絶縁コーティング（不図示）を介して固定されている。
【００１３】
次に回転部について説明する。
スリーブ３０に挿入され、中心軸Ｊ１と略同軸に配置されたシャフト９０は、スリーブ３０の内周面によって回転自在に支持される。シャフト９０におけるスリーブ３０より軸方向上側には、鋼板にプレス加工等の塑性加工を施して成型されたロータホルダ１００が固定されている。ロータホルダ１００は、シャフト９０から径方向外側に環状に広がる平坦部である蓋部１０２と、蓋部１０２より軸方向下側に延びる円筒部１０１と、蓋部１０３の外縁と円筒部１０１の上端との間に配置される傾斜部１０４と、を有する。このロータホルダ１００はステータ６０を外囲する。ロータホルダ１００の円筒部１０１の内周面には、ロータマグネット１１０が固定されている。このロータマグネット１１０は、ステータ６０のティース部６１ｂの外周面と径方向に小さな間隙を介して対向して配置される。ロータホルダ１００の蓋部１０２の下面におけるハウジング１０の径方向延長部１４と軸方向に対向する位置には、円環形状の予圧マグネット１２０が固定されている。
【００１４】
最後にチャッキング装置１３０について説明する。
チャッキング装置１３０は、ターンテーブル１３１と、コーン部材１３２と、弾性部材１３３（本実施例では、コイルバネ）と、ヨーク部材１３４と、を備える。
樹脂材料製の略円筒状のターンテーブル１３１は、ロータホルダ１００の蓋部１０２の上面に配置される。
樹脂材料製のコーン部材１３２は、シャフト９０と摺動する略円筒形状の動部１３２ａおよび光学ディスク（不図示）と当接する略円錐形状のディスク当接部１３２ｂとを有し、ターンテーブル１３１の軸方向上側に配置される。
弾性部材１３３は、ターンテーブル１３１およびコーン部材１３２の軸方向の間に配置されコーン部材１３２を軸方向上側に向けて押す。
ヨーク部材１３４は、シャフト９０におけるコーン部材１３２の軸方向上側に固定される磁性体である。ヨーク部材１３４はコーン部材１３２の軸方向の移動を規制する。
ターンテーブル１３１は、外周側に円環形状の空洞部１３１ａを備える。この空洞部１３１ａにはバランス部材１３５が配置される。特に本実施例では、バランス部材１３５として、鋼球を複数個使用する。
【００１５】
＜チャッキング装置および回転部の詳細構造＞
次に本発明に係るチャッキング装置１３０および回転部の詳細構造について図２および図３を参照して説明する。図２は、図１のチャッキング装置１３０付近の拡大図である。図３は、ロータホルダ１００の傾斜部１０４付近の拡大図である。
チャッキング装置１３０のターンテーブル１３１は中央にコーン部材１３２の一部を収容する収容凹部１３１ｂを備える。この収容凹部１３１ｂは、第一収容部１３１ｂ１と、第二収容部１３１ｂ２と、第三収容部１３１ｂ３と、から構成される。第一収容部１３１ｂは、収容凹部１３１ｂ内で最も径方向外側に配置され、コーン部材１３２のディスク当接部１３２ｂを収容する。第二収容部１３１ｂ２は、第一収容部１３１ｂ１と径方向内側に隣接し、弾性部材１３３と接触する。第三収容部１３１ｂ３は、第二収容部１３１ｂ２と径方向内側に隣接し、コーン部材１３２の摺動部１３２ａを収容する。そして第三収容部１３１ｂ３の径方向内側の内周縁はシャフト９０の外周面に固定される。また第一収容部１３１ｂ１が最も軸方向上側に配置され、第三収容部１３１ｂ３が最も軸方向下側に配置される。
【００１６】
ターンテーブル１３１は、第一収容部１３１ｂ１の径方向外側に、空洞部１３１ａを備える。空洞部１３１ａは、軸方向下側に開口する凹形状であり、周方向に円環形状である。この空洞部１３１ａは、径方向内側の側周面を構成する内周壁１３１ａ２と、径方向外側の側周面を構成する外周壁１３１ａ３と、内周壁１３１ａ２および外周壁１３１ａ３を径方向に連結する天面となる蓋部１３１ａ５と、に囲まれている。
【００１７】
この空洞部１３１ａは第一収容部１３１ｂ１と径方向にほぼ隣接している。すなわち、第一収容部１３１ｂ１の内周面と内周壁１３１ａ２の外周面とは径方向の位置がほぼ同じである。したがって、空洞部１３１ａの径方向内側の上部に配置される角部１３１ａ１は、径方向外側に向かい軸方向上側に傾斜する傾斜面を備える。この傾斜面により、空洞部１３１ａの軸方向断面積は軸方向上側に向かうに従って縮小する。
【００１８】
この角部１３１ａ１が、図２の点線のように空洞部１３１ａの径方向外側の上部に配置される角部と同様の形状である場合、第一収容部１３１ｂ１と空洞部１３１ａとの間に配置される内壁１３１ａ２の径方向の幅が極端に狭くなってしまう。その結果、ターンテーブル部１３１の成形の際に内周壁１３１ａ２の樹脂材料の流動性が悪化してしまい、成形不良を発生してしまう可能性がある。しかしながら、角部１３１ａ１が傾斜面を備えることによって、内周壁１３１ａ２の径方向の幅を十分に確保することができるので、前述の樹脂材料の流動性悪化による成形不良を防止することができる。
【００１９】
また角部１３１ａ１の傾斜面は、バランス部材１３５である鋼球の軸方向の中心よりも軸方向上側に位置する。特に本実施例の角部１３１ａ１の傾斜面と中心軸Ｊ１との成す鋭角は、ほぼ４５度となる。
【００２０】
また内周壁１３１ａ２の内周側には、軸方向下側に開口した円環形状の凹部１３１ｃが配置される。
【００２１】
空洞部１３１ａの径方向外側を形成する外周壁１３１ａ３の外周面の外径の大きさは、ロータホルダ１００の円筒部１０１の外周面の外径の大きさとほぼ同じである。そして外壁１３１ａ３の上部にはディスク載置部１３１ｄが配置される。ディスク載置部１３１ｄは径方向外側でターンテーブル１３１の上面と連結する。ディスク載置部１３１ｄの上面は、円環状のディスク載置面１３１ｅを備える。ディスク載置面１３１ｅはラバー等の摩擦係数の大きな材料を素材とする。また、外周壁１３１ａ３の外周面の上部は、ディスク載置面１３１ｅに向かい（すなわち、軸方向上側に向かい）拡径する傾斜面を備える。
【００２２】
空洞部１３１ａの開口側である軸方向下側には、この空洞部１３１ａを密閉する略円環形状のプレート１３６が固定されている。プレート１３６は薄板の鋼板にプレス加工等の塑性加工を施して成型される。このプレート１３６は内周縁に軸方向上側に延びるフック部１３６ａを有する。フック部１３６ａの外周面と内周壁１３１ａ２の内周面とは圧入によって固定される。そして外周壁１３１ａ３は、内周側が凹んだ形状の位置決め段部１３１ａ４を備える。プレート１３６の軸方向の位置は外周縁が位置決め段部１３１ａ４に接して決定される。また外周壁１３１ａ３の外周側の下端面は、プレート１３６の下面より軸方向下側まで延びる。そして外周壁１３１ａ３の外周側の内周面は、プレート１３６の外周縁の外周面と接する。この構成によって、空洞部１３１ａをプレート１３６によって密閉状態にできるので、バランス部材１３５の移動に伴う騒音が外部に漏れることを抑制できる。さらに外周壁１３１ａ３の外周側がプレート１３６の下面より軸方向下側まで延びることによって、より確実に空洞部１３１ａ内を密閉状態にできる。
【００２３】
プレート１３６の空洞部１３１ａ内における上面には、円環形状の薄板であるスペーサ１３７が配置されている。スペーサ１３７は、バランス部材１３５の移動経路の一部である。スペーサ１３７は、バランス部材１３５の移動によって発生する騒音を吸収する。このスペーサ１３７の上面をバランス部材１３５は回転部の回転力によって移動する。
【００２４】
プレート１３６の下面と蓋部１０２の上面の間、およびプレート１３６の下面と傾斜部１０４の間には接着剤１４０が介在している。この構成によってプレート１３６と蓋部１０２とが固定できるので、バランス部材１３５の移動に伴う騒音を低減できる。また、プレート１３６が蓋部１０２に接着剤を介して固定されることによって、プレート１３６と圧入固定されているターンテーブル１３１をロータホルダ１００に固定できる。
【００２５】
図３は、傾斜部１０４の近傍を示す。蓋部１０２の外縁と段部１０３の上端との間に配置される傾斜部１０４の間には接着剤１４０が介在し、周方向に拡がる弧状の表面１４１を有する。この構成とすることで、プレート１３６とロータホルダ１００をより強固に固定できる。なお、本実施例では上記の構成としているが、傾斜部１０４は蓋部１０２の外縁と円筒部１０１の間に配置されても良い。
【００２６】
図４は図１のターンテーブル部材の下面より見た平面図である。ターンテーブル１３１の下面には、軸方向下側に開口する接着充填部１３１ｆが配置される。この接着充填部１３１ｆは、第一凹部１３１ｆ１と、第二凹部１３１ｆ２を備える。第一凹部１３１ｆ１は環状であり、放射状に延びる複数の第二凹部１３１ｆ２と接続している。本実施例の第二凹部１３１ｆ２は、周方向において等間隔に６個配置されている。またこの第二凹部１３１ｆ２は、フック収容溝１３１ｃと接続する。
【００２７】
図２、図４から、第一凹部１３１ｆ１は、ロータホルダ１００の蓋部１０２におけるＲ面１０２ａの外周縁より径方向外側の蓋部１０２と軸方向に対向する。これによって、ターンテーブル１３１と蓋部１０２とは接着剤１４０にて確実に固定できる。
【００２８】
さらに、フック収容溝１３１ｃが第二凹部１３１ｆ２と連通していることにより、接着剤１４０がフック収容溝１３１ｃへ流れ、フック収容溝１３１ｃの内周面とフック部１３６ａの間に接着剤１４０が介在する。この構成により、ターンテーブル１３１と蓋部１０２とを、より確実に固定できる。加えて、プレート１３６もターンテーブル１３１に強固に固定できるので、バランス部材１３５の移動に伴う騒音を低減できる。
【００２９】
コーン部材１３２におけるディスク当接部１３２ｂは、周方向全体にて光学ディスク（不図示）の中心開口の内周面と当接するような傘形状である。そしてディスク当接部１３２ｂの外周面は、上部に光学ディスクの内周面もしくは下面と接触し、光学ディスクの回転中心をブラシレスモータの回転中心付近に案内するディスク案内面１３２ｂ１を備える。
ディスク案内面１３２ｂ１の下端面と連続するディスク調芯面１３２ｂ２は、光学ディスクの回転中心とブラシレスモータの回転中心との調芯を行う。そしてディスク当接部１３２の径方向内側には、軸方向に延びる円環形状の内壁１３２ｂ３が配置される。この内壁１３２ｂ３の下部には、摺動部１３２ａと連結するように径方向内側に延びる連結部１３２ｃが配置される。内壁１３２ｂ３とディスク調芯面１３２ｂ２との径方向の間には軸方向下側に開口する円環凹部１３２ｂ４が配置される。弾性部材１３５は、この円環凹部１３２ｂ４の下面と第二収容部１３１ｂ２の上面とに圧縮されて保持されている。また、弾性部材１３５は、この円環凹部１３２ｂ４の下面と第二収容部１３１ｂ２の上面とに接触している。
【００３０】
ロータホルダ１００の蓋部１０２および円筒部１０１の連結部は、径方向内側に凹む段部１０３を備える。この段部１０３がロータホルダ１００において最も剛性の弱い蓋部１０２および円筒部１０１の連結部に形成されることによって、剛性不足による蓋部１０２の撓みを抑制することができる。
【００３１】
プレート１３６の下面と蓋部１０２の上面との間、およびプレート１３６の下面と傾斜部１０４との間には接着剤１４０が介在している。この構成によってプレート１３６と蓋部１０２とが固定できるので、バランス部材１３５の移動に伴う騒音を低減できる。また、プレート１３６が蓋部１０２に接着剤を介して固定されることによって、プレート１３６と圧入固定されているターンテーブル１３１を回転体に固定できる。さらに、プレート１３６が蓋部１０２と接着固定されていることにより、チャッキング装置１３０とロータホルダ１００とが対向している面において径方向中心よりも径方向外側で固定されている。したがって、ターンテーブル部材１３１の剛性を向上させることができる。その結果、ディスクが軸方向に振動したときの振動伝播を抑制することができる。
【００３２】
＜他の実施形態＞
図５は本発明に係る他の実施例であるブラシレスモータの部分断面図である。図５では、蓋部１０２がターンテーブル１３１の外壁１３１ａ３よりも外側に位置している。また、図６は、図５のロータホルダ１００の傾斜部１０４付近を拡大した図である。
ターンテーブル１３１と蓋部１０２との間、およびプレート１３６と蓋部１０２との間および、蓋部１０２の表面と外壁１３１ａ３の下端との間には、接着剤１４０が介在している。この構成とすることによってプレート１３６と蓋部１０２とが固定できるので、バランス部材１３５の移動に伴う騒音を低減できる。
【００３３】
図５、図６から、ターンテーブル１３１と蓋部１０２との間、およびプレート１３６と蓋部１０２との間、および蓋部１０２の表面と外壁１３１ａ３の下端との間に介在する接着剤１４０は、周方向に拡がる弧状の表面１４１を有する。この構成により、プレート１３６およびターンテーブル１３１とロータホルダ１００とをより強固に固定できる。
【００３４】
以上、本発明のブラシレスモータおよびこのブラシレスモータを搭載したディスク駆動装置の実施例の一形態について記載したが、本発明はこの実施例に限定されることはない。
【００３５】
例えば、ロータホルダ１００の筒部の下端に径方向外側に延びるフランジがついていてもよい。また、ロータホルダ１００の径に関して、円筒部１０１の外形が、バランス部材１３５の転走の中心よりも径方向内側にあってもよい。
【００３６】
また、コーン部材１３２の素材として、ポリカーボネートを用いてもよい。また、ポリアセタール、ポリブチレンテレフタレート等を用いてもよい。
【００３７】
また、予圧マグネット１２０は静止側に配置されていても良い。
【００３８】
プレート１３６の下面は、ターンテーブル部材１３１の下面よりも軸方向下側に位置してもよく、接着剤１４０の塗布位置は、バランス部材１３５の転走の中心よりも径方向内側かつフック部１３６ａより径方向外側であってもよい。
【符号の説明】
【００３９】
１０        ハウジング（スリーブ保持部）
３０        スリーブ
６０        ステータ
８１        ホール素子（高速用位置検出機構）
８２        光学素子（低速用位置検出機構）
９０        シャフト
１００      ロータホルダ
１０１      円筒部
１０２      蓋部
１０３      段部
１０４      傾斜部
１１０      ロータマグネット
１２０      予圧マグネット
１３０      チャッキング装置
１３１      ターンテーブル部材
１３１ａ    空洞部
１３１ａ１  空洞縮小部
１３１ａ４  位置決め段部
１３１ｂ    収容凹部
１３１ｂ１  第一収容部
１３１ｂ２  第二収容部
１３１ｃ    凹部
１３１ｄ    ディスク載置部
１３１ｅ    ディスク載置面
１３１ｆ    接着充填部
１３１ｆ１  第一凹部
１３１ｆ２  第二凹部
１３２      コーン部材
１３２ａ    摺動部
１３２ｂ    ディスク当接部
１３３      弾性部材
１３５      バランス部材
１３６      プレート（蓋部材）
１３７      スペーサ
１４０      接着剤
１４１      弧状の表面
【図１】
2014093109.tif 000003
【図２】
2014093109.tif 000004
【図３】
2014093109.tif 000005
【図４】
2014093109.tif 000006
【図５】
2014093109.tif 000007
【図６】
2014093109.tif 000008